(57)【要約】【課題】クロストークの発生を防止でき、しかも、複数のシグナル線及び複数のグラウンド線を備えるケーブルとスムーズに接続できるコネクタを提供する。【解決手段】プラグコネクタ１のインシュレータ２の平板部２ａの表裏両面には、多数のシグナルコンタクト３が矢印方向に圧入され、また、多数のグラウンドコンタクト４が矢印方向に圧入され、各グラウンドコンタクトは各シグナルコンタクトの間に挿入される。平衡伝送用ケーブル１１の接続部においては、多数のシグナル線１２が２列に配設され、各シグナル線は、各誘電体１３によって被覆される。上下方向の各シグナル線ペア１２，１２の上側付近には、各グラウンド線１４が配設される。各グラウンド線は、各シールド１５に接続され、各シグナル線ペアは、各シールドによって包囲される。ロケータ５は、各シグナル線ペアと各グラウンドコンタクトを位置決めする。一対のグラウンドクリップ６，６の各仕切板６ａは、各シグナル線ペアの間に挿入される。【選択図】      図１
2004253151.tif 000002
【特許請求の範囲】
【請求項１】
複数のシグナル線及び複数のグラウンド線を備えるケーブルと接続するコネクタにおいて、
前記コネクタは、インシュレータと、前記インシュレータに保持される複数のシグナルコンタクトと、前記インシュレータに保持される複数のグラウンドコンタクトと、前記各シグナル線及び前記各グラウンドコンタクトを整列するロケータと、前記各グラウンド線及び前記各グラウンドコンタクトと接続する一対のグラウンドクリップを有し、
前記各グラウンドクリップは、前記各シグナル線ペアを包囲し、かつ、前記各シグナル線ペアの間を遮蔽することを特徴とするコネクタ。
【請求項２】
前記各グラウンドコンタクトが前記ロケータを貫通して前記各グラウンドクリップと接続することによって、前記各シグナル線と前記各シグナルコンタクトとの接続部分を遮蔽することを特徴とする請求項１記載のコネクタ。
【発明の詳細な説明】
【０００１】
【発明の属する技術分野】
本発明は、複数のシグナル線及び複数のグラウンド線（ドレイン線）を備えるケーブル（平衡伝送ケーブル等）と接続するコネクタに関する。
【０００２】
【従来の技術】
従来のコネクタについて図９と図１０を参照して説明する。
【０００３】
まず、プラグコネクタ３１を説明する。図９に示されるように、長方形の板状のインシュレータ３２には、その一面側の中央に平板部３２ａが一体に形成され、その他面側の中央に中継基板３６が固定される。平板部３２ａには、それぞれ多数のシグナルコンタクト３３が一定のピッチで圧入されることによって保持されている。また、平板部３２ａには、多数のグラウンドコンタクト３４が圧入されることによって保持され、各グラウンドコンタクト３４は各シグナルコンタクト３３の間に挿入されている。
【０００４】
各シグナルコンタクト３３を中継基板３６に設けられた各シグナルパッド（図示せず）に半田付けし、また、各グラウンドコンタクト３４を中継基板３６に設けられた各グラウンドパッド（図示せず）に半田付けする。
【０００５】
次に、平衡伝送用ケーブル４１を説明する。図９に示されるように、平衡伝送用ケーブル４１の接続部においては、多数のシグナル線４２が２列に一定のピッチで配設される。各シグナル線４２は、各誘電体４３によって被覆されている。各シグナル線４２の付近には、各グラウンド線（ドレイン線）４４が配設される。各１本のシグナル線４２、誘電体４３及びグラウンド線４４は、シールド４５によって包囲される。シグナル線４２、誘電体４３、グラウンド線４４及びシールド４５の全体は、平衡伝送用ケーブル４１の接続部側に設けられたクランプ４６の孔４６ａ内に挿入される。
【０００６】
プラグコネクタ３１を図９において矢印方向に図１０の位置まで移動する。ここで、各シグナル線４２を中継基板３６に設けられた各シグナルパッドに半田付けし、また、各グラウンド線４４を中継基板３６に設けられた各グラウンドパッドに半田付けする。
【０００７】
なお、この種のコネクタは、既に提案されている（例えば、特許文献１参照。）。
【０００８】
【特許文献１】
特開２０００−６８００７号公報（第７頁第１２欄第５行−第８頁第１３欄第２行、図１−５，８）
【０００９】
【発明が解決しようとする課題】
前記従来のコネクタでは、プラグコネクタ３１と平衡伝送用ケーブル４１を接続するとき、中継基板３６を両者の間に使用する。したがって、この方式構造では、各シグナル線４２と中継基板３６の各パッドとの接続部において、各シグナル線ペア４２，４２の間の遮蔽が行われないため、クロストークが発生する。また、中継基板３６の製造ロットの相違による特性インピーダンスのばらつきや中継基板３６による高周波帯域における減衰も発生する。
【００１０】
そこで、本発明は、前記従来のコネクタの欠点を改良し、クロストークの発生を防止することができ、しかも、複数のシグナル線及び複数のグラウンド線を備えるケーブルとスムーズに接続することができるコネクタを提供しようとするものである。
【００１１】
【課題を解決するための手段】
本発明は、前記課題を解決するため、次の手段を採用する。
【００１２】
１．複数のシグナル線及び複数のグラウンド線を備えるケーブルと接続するコネクタにおいて、前記コネクタは、インシュレータと、前記インシュレータに保持される複数のシグナルコンタクトと、前記インシュレータに保持される複数のグラウンドコンタクトと、前記各シグナル線及び前記各グラウンドコンタクトを整列するロケータと、前記各グラウンド線及び前記各グラウンドコンタクトと接続する一対のグラウンドクリップを有し、前記各グラウンドクリップは、前記各シグナル線ペアを包囲し、かつ、前記各シグナル線ペアの間を遮蔽するコネクタ。
【００１３】
２．前記各グラウンドコンタクトが前記ロケータを貫通して前記各グラウンドクリップと接続することによって、前記各シグナル線と前記各シグナルコンタクトとの接続部分を遮蔽する前記１記載のコネクタ。
【００１４】
【発明の実施の形態】
本発明の一実施の形態例のコネクタについて図１〜図８を参照して説明する。
【００１５】
図１は、プラグコネクタ１の組立前の斜視図と、平衡伝送用ケーブル１１にロケータと一対のグラウンドクリップを組み込む前の斜視図である。
【００１６】
まず、プラグコネクタ１を説明する。コ字形状のインシュレータ２の両面側の中央には、平板部２ａが一体に形成される（図５，６参照）。平板部２ａの表裏両面には、それぞれ多数のシグナルコンタクト３が一定のピッチで矢印方向に圧入されることによって保持される。また、平板部２ａには、多数のグラウンドコンタクト４が矢印方向に圧入されることによって保持され、各グラウンドコンタクト４は各シグナルコンタクト３の間に挿入される。
【００１７】
次に、平衡伝送用ケーブル１１を説明する。平衡伝送用ケーブル１１の接続部においては、多数のシグナル線１２が２列に一定のピッチで配設される。各シグナル線１２は、各誘電体１３によって被覆される。上下方向の各シグナル線ペア１２，１２の上側付近には、各グラウンド線（ドレイン線）１４が配設される。各グラウンド線１４は、各シールド１５に接続され、各シグナル線ペア１２，１２は、各シールド１５によって包囲される。各シグナル線ペア１２，１２、各誘電体１３、各グラウンド線１４及び各シールド１５の全体は、平衡伝送用ケーブル１１の接続部側に設けられたクランプ１６の孔１６ａ内に挿入される。
【００１８】
図２は、図１における線Ａ−Ａによる断面図である。
【００１９】
図１において、ロケータ５を各シグナル線ペア１２，１２に矢印方向にはめる。ロケータ５は、図５に示されるように、各シグナル線ペア１２，１２に対応する多数の丸孔５ａを有し、各シグナル線ペア１２，１２の先端は、各丸孔５ａ内に挿入される。更に、ロケータ５は、各グラウンドコンタクト４に対応する多数の長方形孔５ｂを有し、各グラウンドコンタクト４の先端は、各長方形孔５ｂ内に挿入される。また、一対のグラウンドクリップ６，６の各仕切板６ａ，６ａを各シグナル線ペア１２，１２を被覆する各誘電体１３，１３の間に上下両側から矢印方向に交互に挿入する。すると、平衡伝送用ケーブル１１は、図３と図４に示される状態に至る。この状態では、各シグナル線ペア１２，１２の間は、各グラウンドクリップ６の各仕切板６ａによって遮蔽される。
【００２０】
図３に示される状態において、プラグコネクタ１を矢印方向に移動すると、図６に示される状態に至る。この状態で、各グラウンド線１４と上方のグラウンドクリップ６を箇所Ｅで半田付けする。また、各グラウンドコンタクト４と両グラウンドクリップ６を箇所Ｆで半田付けする。更に、各シグナル線１２と各シグナルコンタクト３を箇所Ｇで半田付けする。更に、ロケータ５内における各シグナル線ペア１２，１２間の露出部を各グラウンドコンタクト４によって箇所Ｈで遮蔽する。各グラウンドコンタクト４は、ロケータ５を貫通して各グラウンドクリップ６と接続することによって、各シグナル線１２と各シグナルコンタクト３との接続部分を遮蔽する。
【００２１】
プラグコネクタ１と平衡伝送用ケーブル１１を接続した後、図７に示されるように、略長方形状の上側シェル１７と下側シェル１８をそれぞれ矢印方向にプラグコネクタ１と平衡伝送用ケーブル１１に被覆する。上側シェル１７の２隅に形成された凸部１７ａを下側シェル１８の２隅に形成された凹部１８ａに係合し、上側シェル１７の他の２隅に設けられたねじ孔１７ｂと下側シェル１８の他の２隅に設けられたねじ孔１８ｂにそれぞれねじ（図示せず）をねじ込むと、図８に示される組立が完了した状態に至る。
【００２２】
本実施の形態例では、各シグナルコンタクト３と各グラウンドコンタクト４は、基板２ａに圧入されるが、モールドイン成形の手法を採用することもできる。また、各シグナル線ペア１２，１２の上側付近には、各グラウンド線１４が配設されるが、各シグナル線ペア１２，１２の下側付近にも各グラウンド線を配設することもできる。
【００２３】
【発明の効果】
以上の説明から明らかなように、本発明によれば、次の効果が、奏される。
【００２４】
１．一対のグラウンドクリップが各シグナル線ペアを包囲し、かつ、各シグナル線ペア同士を遮蔽するので、クロストークの発生が防止される。
【００２５】
２．複数のシグナル線ペアと複数のグラウンドコンタクトは、ロケータによって整列されるので、ケーブルとコネクタとは、スムーズに接続される。
【００２６】
３．コンタクトは、複数のシグナル線とそれぞれ接続する複数のシグナルコンタクトと、複数のグラウンド線とそれぞれ接続する複数のグラウンドコンタクトとから構成され、各グラウンドコンタクトがロケータを貫通して各グラウンドクリップと接続することによって、各シグナル線と各シグナルコンタクトとの接続部分が遮蔽される。
【図面の簡単な説明】
【図１】本発明の一実施の形態例のプラグコネクタと平衡伝送用ケーブルの組立前の斜視図である。
【図２】図１の同ケーブルにおける線Ａ−Ａによる断面図である。
【図３】同コネクタと同ケーブルの接続前の斜視図である。
【図４】図３における線Ｂ−Ｂによる断面図である。
【図５】図３における線Ｃ−Ｃによる断面図である。
【図６】図７における線Ｄ−Ｄによる断面図である。
【図７】接続された同コネクタと同ケーブルに上下両側のシェルが被覆される前の斜視図である。
【図８】接続された同コネクタと同ケーブルに上下両側のシェルが被覆された後の斜視図である。
【図９】従来のプラグコネクタと平衡伝送用ケーブルの接続前の斜視図である。
【図１０】同コネクタと同ケーブルの接続後の斜視図である。
【符号の説明】
１    プラグコネクタ
２    インシュレータ
２ａ    平板部
３    シグナルコンタクト
４    グラウンドコンタクト
５    ロケータ
５ａ    丸孔
５ｂ    長方形孔
６    グラウンドクリップ
６ａ    仕切板
１１    平衡伝送用ケーブル
１２    シグナル線
１３  誘電体
１４    グラウンド線
１５    シールド
１６    クランプ
１６ａ    孔
１７    上側シェル
１７ａ    凸部
１７ｂ    ねじ孔
１８    下側シェル
１８ａ    凹部
１８ｂ    ねじ孔
【図１】
2004253151.tif 000003
【図２】
2004253151.tif 000004
【図３】
2004253151.tif 000005
【図４】
2004253151.tif 000006
【図５】
2004253151.tif 000007
【図６】
2004253151.tif 000008
【図７】
2004253151.tif 000009
【図８】
2004253151.tif 000010
【図９】
2004253151.tif 000011
【図１０】
2004253151.tif 000012